(57)【要約】【課題】設置式自動販売機に組み込むことにより、設置式自動販売機が販売する商品とは異なる商品を販売することができる組込み式自動販売機を提供する。【解決手段】設置式自動販売機１は、前面扉２に商品ディスプレイ部３，金銭投入口４，商品取出口５等を備えているとともに、組込み式自動販売機１０を組み込んでいる。組込み式自動販売機１０の表面壁の上方寄りには、第１コラム選択ボタンＢ１，第２コラム選択ボタンＢ２，および第３コラム選択ボタンＢ３が配置され、下端部寄りの商品取出口１１には販売扉１２が開閉自在に設けられている。【選択図】図１
2006099638.tif 000002
【特許請求の範囲】
【請求項１】
設置式自動販売機に組み込まれ、該設置式自動販売機が販売する商品とは異なる商品を販売することを特徴とする組込み式自動販売機。
【請求項２】
設置式自動販売機に組み込まれ、該設置式自動販売機とは異なる商品を販売する組込み式自動販売機において、
商品を積み重ねて収納する複数のコラムと、
前記複数のコラムを互いに独立に上下方向に移動させる上下移動機構と、
前記上下移動機構により下限位置に移動されたコラムから最下位の商品を、左右方向に往復運動を繰り返す払出部材により隣接するコラムの下位に払い出す払出機構と、
前記払出機構により払い出された商品を前方向に押し出して商品取出口に搬出する押出機構と
を有することを特徴とする組込み式自動販売機。
【請求項３】
前記上下移動機構が、モータと、該モータの回転軸に固定されたコラム駆動カムと、該コラム駆動カムの一端に植設された係合ピンと、該係合ピンに係合し該コラムの移動を上下方向に規制するコラムガイド板とからなることを特徴とする請求項２記載の組込み式自動販売機。
【請求項４】
前記払出機構が、モータと、該モータの駆動により回転するスクリューバーと、該スクリューバーに螺合されたナットと、該ナットに取り付けられた払出部材とからなることを特徴とする請求項２記載の組込み式自動販売機。
【請求項５】
前記押出機構が、前記払出機構の払出部材に係合して左右方向に摺動する搬出駆動カムと、前記払出機構により払い出された商品を前記搬出駆動カムの摺動に連動して前方向に押し出す押出板ユニットとからなることを特徴とする請求項４記載の組込み式自動販売機。
【請求項６】
前記押出板ユニットが、払い出された商品を前記商品取出口に押し出すとともに、前記商品取出口を内側から遮蔽することを特徴とする請求項５記載の組込み式自動販売機。
【請求項７】
設置式自動販売機の前面扉に組み込まれる組込み式自動販売機において、
商品を積み重ねて収納するコラムが、各種サイズの商品に対応するために、縦方向のサイズ調整機構，横方向のサイズ調整機構，および高さ方向のサイズ調整機構を備えることを特徴とする組込み式自動販売機。
【請求項８】
前記縦方向のサイズ調整機構が、回動操作にて調整可能なコラム後調整板と、該コラム後調整板に取り付けられたピンと、該ピンを挿し込むことができる複数の穴とからなることを特徴とする請求項７記載の組込み式自動販売機。
【請求項９】
前記横方向のサイズ調整機構が、コラム横調整板と、該コラム横調整板に取り付けられた固定ピンと、前記固定ピンを引っ掛けるための櫛歯状溝とからなることを特徴とする請求項７記載の組込み式自動販売機。
【請求項１０】
前記高さ方向のサイズ調整機構が、コラムを上下方向に移動させる上下移動機構において、販売動作時にコラムの上下方向への移動量を該コラムに連結されたストッパの位置を調整する調整機構であることを特徴とする請求項７記載の組込み式自動販売機。
【請求項１１】
前記高さ方向のサイズ調整機構が、前記コラムと前記ストッパとの位置関係を変更するダイアルを備えることを特徴とする請求項１０記載の組込み式自動販売機。
【請求項１２】
設置式自動販売機の前面扉に組み込まれる組込み式自動販売機において、
前記設置式自動販売機に内蔵された冷却部からの冷気を、商品を積み重ねて収納するコラムに導入することにより、前記前面扉に冷却部を設けることなく商品の冷却が可能になるようにしたことを特徴とする組込み式自動販売機。
【請求項１３】
前記設置式自動販売機の冷却部からの冷気を前記コラムを通して循環させる循環制御用のファンを設置したことを特徴とする請求項１２記載の組込み式自動販売機。
【請求項１４】
温度センサを内蔵し、内部温度の上昇を検知したときに前記ファンを駆動させて前記設置式自動販売機の冷却部からの冷気を導入することを特徴とする請求項１３記載の組込み式自動販売機。
【発明の詳細な説明】
【技術分野】
【０００１】
本発明は組込み式自動販売機に関し、特に飲料用自動販売機等のスタンドアローン型の自動販売機（以下、設置式自動販売機という）の前面扉に組み込まれて使用される組込み式自動販売機に関する。
【背景技術】
【０００２】
従来から、内部に収容した商品を自動的に販売する設置式自動販売機が知られている。一般には、缶ジュースや缶コーヒー等の飲料を販売する飲料用自動販売機が広く普及しており、路上や駅構内，映画館等の屋内施設などの様々な場所に多数設置されている。
【０００３】
また、近年では、飲料以外にも、アイスクリーム用自動販売機やスナック菓子用自動販売機など、軽食を手軽に購入することができる設置式自動販売機を設置しているところもある。
【０００４】
ところで、飲料を購入する際にはスナック菓子を一緒に購入したいという要望があることが多く、飲料用自動販売機と一緒にスナック菓子用自動販売機を設置することは自動販売機の設置形態として望ましいことである。それが実現すれば、飲料とスナック菓子との双方の売上向上に繋がり、またサービス向上にも繋がると考えられる。
【０００５】
しかしながら、飲料用自動販売機とともにスナック菓子用自動販売機を設置するとすれば、既に設置されている飲料用自動販売機の傍に設置することが最も効率的であり望まれるが、既設の飲料用自動販売機の周辺に同様のスタンドアローン型のスナック菓子用自動販売機を置くためのスペースがあるとは限らず、また、スナック菓子用自動販売機を設置する際には、そのための労力やコストが必要である。これが、スナック菓子用自動販売機があまり普及していない要因の一つであるとも考えられる。
【０００６】
そこで、従来技術として、既設の飲料用自動販売機等の設置式自動販売機の側面等に取り付けて使用する取付式自動販売機が提案されている（特許文献１参照）。
【特許文献１】特開２００２−６３６３９号公報
【発明の開示】
【発明が解決しようとする課題】
【０００７】
しかしながら、従来の取付式自動販売機は、飲料用自動販売機等の設置式自動販売機の側面等に取り付けられているだけだったので、筐体に強い力を加えると、商品を積み重ねて収納するコラム（保持ケース）が外部に露呈して中の商品を比較的容易に盗み出すことが可能であるという問題点があった。
【０００８】
また、従来の取付式自動販売機は、コラムに積み重ねられて収納された商品が押し上げられて上部に設けられた商品取出口から押し出されるようになっていたので、一般的にダルマ落とし方式を採用する設置式自動販売機とは商品の搬出方向が異なっており、購買者の混乱を招くおそれがあるという問題点があった。コラムに積み重ねて収納した商品を最下位の商品から払い出し、それにより上位の商品を自重によって１つずつ落下させる、いわゆるダルマ落し方式を採用した場合、商品を払い出すアクチュエータが各コラム毎に必要となり、かつ商品が自由落下し確実に商品取出口に出るための経路を確保すると同時に防盗性を確保するためには相当の距離および空間が必要になり、自動販売機の小型化に難点があった。
【０００９】
さらに、従来の取付式自動販売機は、荷崩れや商品のジャム（引っ掛り）を防止するため、コラムが販売する商品に応じた寸法形状となっており、商品の種類を適宜入れ替えて販売することができないという問題点があった。すなわち、商品のサイズに合わせて専用のコラムが必要であり、タバコのように定形の商品については問題が生じなかったが、スナック菓子，キャンディ等の商品の販売を考慮した場合、各種サイズの商品の専用コラムを用意することは実質的に不可能であった。
【００１０】
さらにまた、従来の取付式自動販売機は、既設の飲料用自動販売機等の設置式自動販売機の側面等に取り付けられているだけだったので、商品の冷却が必要な場合には、冷却部を備える必要があり、自動販売機が大型化するという問題点があった。
【００１１】
本発明の第１の目的は、設置面積が無くても、設置式自動販売機に組み込むことにより、設置式自動販売機が販売する商品とは異なる商品を販売することができるようにした組込み式自動販売機を提供することにある。
【００１２】
また、本発明の第２の目的は、コラムに積み重ねられて収納された商品をダルマ落とし方式で販売することにより、一般的な設置式自動販売機と同様に使用することができるようにした組込み式自動販売機を提供することにある。
【００１３】
さらに、本発明の第３の目的は、限られたスペース内にて複数のコラムから１つの商品を選択して払い出すことにより、設置式自動販売機の前面扉に組み込むことができるようにした組込み式自動販売機を提供することにある。
【００１４】
さらにまた、本発明の第４の目的は、外部からはコラムに到達することができず、防盗性を確保するようにした組込み式自動販売機を提供することにある。
【００１５】
また、本発明の第５の目的は、販売者の機械操作レベルを問わない簡単な調整方法で各種サイズの商品に適応可能なサイズ調整機構を備え、商品の種類を適宜入れ替えて販売することができるようにした組込み式自動販売機を提供することにある。
【００１６】
さらに、本発明の第６の目的は、過酷な条件に晒される可能性のある設置式自動販売機の前面扉に設けられながらも、設置式自動販売機の冷却部からの冷気を取り込むことによって商品を冷却して保持することができるようにした組込み式自動販売機を提供することにある。
【課題を解決するための手段および発明の効果】
【００１７】
請求項１記載の組込み式自動販売機は、設置式自動販売機に組み込まれ、該設置式自動販売機が販売する商品とは異なる商品を販売することを特徴とする。請求項１記載の組込み式自動販売機によれば、設置式自動販売機に組み込むことによって、設置場所を確保することなしに、設置式自動販売機が販売する商品とは異なる商品を同時に販売することが可能になる。
【００１８】
請求項２記載の組込み式自動販売機は、設置式自動販売機に組み込まれ、該設置式自動販売機とは異なる商品を販売する組込み式自動販売機において、商品を積み重ねて収納する複数のコラムと、前記複数のコラムを互いに独立に上下方向に移動させる上下移動機構と、前記上下移動機構により下限位置に移動されたコラムから最下位の商品を、左右方向に往復運動を繰り返す払出部材により隣接するコラムの下位に払い出す払出機構と、前記払出機構により払い出された商品を前方向に押し出して商品取出口に搬出する押出機構とを有することを特徴とする。請求項２記載の組込み式自動販売機によれば、コラムが上下方向に移動することにより、当該コラム以外のコラムの真下に商品を払い出すことが可能になった。それにより、従来、商品払出動作上必要であった前後方向のスペースが不要となり、前後方向に厚さの薄い払出機構を構成できた。また、払出方向を左右方向としたことにより、商品取出口と未販売の商品との間に開口部が無く、防盗性の向上とともに、それを目的としたスペースも不要となった。
【００１９】
請求項３記載の組込み式自動販売機は、前記上下移動機構が、モータと、該モータの回転軸に固定されたコラム駆動カムと、該コラム駆動カムの一端に植設された係合ピンと、該係合ピンに係合し該コラムの移動を上下方向に規制するコラムガイド板とからなることを特徴とする。請求項３記載の組込み式自動販売機によれば、係合ピンとコラムガイド板との係合関係を調整することにより、コラムの上下方向の移動量を任意に設定することができる。
【００２０】
請求項４記載の組込み式自動販売機は、前記払出機構が、モータと、該モータの駆動により回転するスクリューバーと、該スクリューバーに螺合されたナットと、該ナットに取り付けられた払出部材とからなることを特徴とする。請求項４記載の組込み式自動販売機によれば、コラムからの商品の払出をきわめて簡単な機構で行なうことができる。
【００２１】
請求項５記載の組込み式自動販売機は、前記押出機構が、前記払出機構の払出部材に係合して左右方向に摺動する搬出駆動カムと、前記払出機構により払い出された商品を前記搬出駆動カムの摺動に連動して前方向に押し出す押出板ユニットとからなることを特徴とする。請求項５記載の組込み式自動販売機によれば、搬出駆動カムの左右方向の摺動を押出板ユニットの前後方向の動作に変換するようにしたので、組込み式自動販売機の縦方向（前後方向）の大きさを小さくすることができ、従来の設置式自動販売機ではできなかった前面扉の部分に組込み式自動販売機を組み込むことが可能になった。
【００２２】
請求項６記載の組込み式自動販売機は、前記押出板ユニットが、払い出された商品を前記商品取出口に押し出すとともに、前記商品取出口を内側から遮蔽することを特徴とする。請求項６記載の組込み式自動販売機によれば、押出板ユニットが商品を商品取出口に押し出すとともに、商品取出口を内側から遮蔽するので、販売扉を開いたとしても、押出板ユニットで商品取出口が内側から塞がれているため、組込み式自動販売機の防盗性が高まる。
【００２３】
請求項７記載の組込み式自動販売機は、設置式自動販売機の前面扉に組み込まれる組込み式自動販売機において、商品を積み重ねて収納するコラムが、各種サイズの商品に対応するために、縦方向のサイズ調整機構，横方向のサイズ調整機構，および高さ方向のサイズ調整機構を備えることを特徴とする。請求項７記載の組込み式自動販売機によれば、商品の縦，横，高さの３つのサイズに対してコラムのサイズ調整が可能であるので、種類の異なる商品であっても、所定のサイズの範囲内にある商品であれば、同じコラムにて販売が可能となった。
【００２４】
請求項８記載の組込み式自動販売機は、前記縦方向のサイズ調整機構が、回動操作にて調整可能なコラム後調整板と、該コラム後調整板に取り付けられたピンと、該ピンを挿し込むことができる複数の穴とからなることを特徴とする。請求項８記載の組込み式自動販売機によれば、縦方向のサイズ調整が、コラム後調整板に取り付けられていたピンを所定の穴に挿し込むだけでできるので、縦方向（前後方向）のサイズ調整操作が簡単になり、特に習熟を必要としなくなった。
【００２５】
請求項９記載の組込み式自動販売機は、前記横方向のサイズ調整機構が、コラム横調整板と、該コラム横調整板に取り付けられた固定ピンと、前記固定ピンを引っ掛けるための櫛歯状溝とからなることを特徴とする。請求項９記載の組込み式自動販売機によれば、横方向（左右方向）のサイズ調整が、コラム横調整板に取り付けられた固定ピンを、櫛歯状溝の所望の溝に引っ掛けるだけで可能となるので、横方向のサイズ調整操作が簡単になり、特に習熟を必要としなくなった。
【００２６】
請求項１０記載の組込み式自動販売機は、前記高さ方向のサイズ調整機構が、コラムを上下方向に移動させる上下移動機構において、販売動作時にコラムの上下方向への移動量を該コラムに連結されたストッパの位置を調整する調整機構であることを特徴とする。請求項１０記載の組込み式自動販売機によれば、販売動作時にコラムの上下方向への移動量を該コラムに連結されたストッパの位置を調整することで変更できるので、高さ方向のサイズ調整操作が簡単になり、特に習熟を必要としなくなった。
【００２７】
請求項１１記載の組込み式自動販売機は、前記高さ方向のサイズ調整機構が、前記コラムと前記ストッパとの位置関係を変更するダイアルを備えることを特徴とする。請求項１１記載の組込み式自動販売機によれば、ストッパの位置調整がダイアルにより簡単に行なえるので、商品に対応した数値管理が可能になる。
【００２８】
請求項１２記載の組込み式自動販売機は、設置式自動販売機の前面扉に組み込まれる組込み式自動販売機において、前記設置式自動販売機に内蔵された冷却部からの冷気を、商品を積み重ねて収納するコラムに導入することにより、前記前面扉に冷却部を設けることなく商品の冷却が可能になるようにしたことを特徴とする。請求項１２記載の組込み式自動販売機によれば、商品を冷却するために新たな冷却部を必要としないので、その分、組込み式自動販売機を小型化して設置式自動販売機の前面扉への組み込みがさらに容易になった。
【００２９】
請求項１３記載の組込み式自動販売機は、前記設置式自動販売機の冷却部からの冷気を前記コラムを通して循環させる循環制御用のファンを設置したことを特徴とする。請求項１３記載の組込み式自動販売機によれば、ファンを設けることにより、簡単に冷却の制御を行なうことが可能になった。
【００３０】
請求項１４記載の組込み式自動販売機は、温度センサを内蔵し、内部温度の上昇を検知したときに前記ファンを駆動させて前記設置式自動販売機の冷却部からの冷気を導入することを特徴とする。請求項１４記載の組込み式自動販売機によれば、温度センサを内蔵したことにより、温度制御を確実に行なうことができるようになった。
【発明を実施するための最良の形態】
【００３１】
設置式自動販売機に組込み式自動販売機を組み込むことにより、設置式自動販売機が販売する商品とは異なる商品を、組込み式自動販売機で同時に販売することができるようにした。
【００３２】
以下、本発明の実施の形態について図面を参照して詳細に説明する。
【実施例１】
【００３３】
図１は、本発明の実施例１に係る組込み式自動販売機１０を設置式自動販売機１に組み込んで使用している状態を示す正面図である。設置式自動販売機１は、周知のように、直方体状の形状を有し、地面，床等に設置されて使用される。設置式自動販売機１は、商品の補充，交換等のために前面扉２が開閉できるようになっており、前面扉２には商品ディスプレイ部３，金銭投入口４，商品取出口５等が備えられている。
【００３４】
本実施例１に係る組込み式自動販売機１０は、設置式自動販売機１の前面扉２の中央左側寄りに組み込まれている。組込み式自動販売機１０の表面壁の上端部寄りには、第１コラム選択ボタンＢ１，第２コラム選択ボタンＢ２，および第３コラム選択ボタンＢ３が配置され、下端部寄りの商品取出口１１には販売扉１２が内蔵バネによって下端縁を支点としてクローズする方向に付勢されて取り付けられている。
【００３５】
図２は、設置式自動販売機１の前面扉２を開けて裏側から見たときの要部背面図である。前面扉２には、本実施例１に係る組込み式自動販売機１０と、組込み式自動販売機専用コントロールボックス１３と、組込み式自動販売機１０と組込み式自動販売機専用コントロールボックス１３とを接続するケーブル１４と、組込み式自動販売機専用電源１５とが組み込まれている。なお、図２中、符号６は設置式自動販売機用コントロールボックス、７は設置式自動販売機用電源、８は金銭処理部、９はカウンタをそれぞれ示す。また、符号１６は、組込み式自動販売機１０の後扉を示す。
【００３６】
図３は、組込み式自動販売機１０の後扉１６を開放した状態を示す図である。後扉１６は、組込み式自動販売機１０の背面側に基端部を開閉自在に軸支されており、クローズ状態では自由端側がマグネットキャッチ１７にて吸着されるようになっている。図３からも分かるように、組込み式自動販売機１０内には、背面側から見て右半部に比較的大きな第１コラムＣ１が設けられ、背面側から見て左半部に比較的小さな第２コラムＣ２および第３コラムＣ３が設けられている。このように、比較的大きな第１コラムＣ１と、比較的小さな第２コラムＣ２および第３コラムＣ３とを設けたのは、コラム毎に販売する商品を異ならしめることができるようにしたからである。
【００３７】
図４は、組込み式自動販売機１０の内部を表面側から透過して示す図である。第１コラムＣ１は、金属等の板体で箱状に形成され、開口を背面側に向けた状態で上面壁には第１コラムガイド板ＣＧ１が取り付けられ、第１コラムガイド板ＣＧ１に穿設された長孔と、シーリング板１８に固植されたピンとによって組込み式自動販売機１０の左半部に上下方向に摺動自在に配設されている。第１コラムＣ１の右側壁の下端寄りの部分は、第１コラムＣ１が下限位置に降下したときにも、払出バー２４が第２コラムＣ２および第３コラムＣ３の下位の商品搬送ステージ３１上に商品を払い出すことができるように大きく切り欠かれている。
【００３８】
第２コラムＣ２は、金属等の板体で、第１コラムＣ１のほぼ半分の大きさの箱状に形成され、開口を背面側に向けた状態で上面壁には第２コラムガイド板ＣＧ２が取り付けられ、第２コラムガイド板ＣＧ２に穿設された長孔と、シーリング板１８に固植されたピンとによって組込み式自動販売機１０の右半部中央寄りに上下方向に摺動自在に配設されている。第２コラムＣ２の左側壁の下端寄りの部分は、第２コラムＣ２が下限位置に降下したときにも、払出バー２４が第１コラムＣ１の下位の商品搬送ステージ３１上に商品を払い出すことができるように大きく切り欠かれている。
【００３９】
第３コラムＣ３も、第２コラムＣ２と同様に、金属等の板体で、第１コラムＣ１のほぼ半分の大きさの箱状に形成され、開口を背面側に向けた状態で上面壁には第３コラムガイド板ＣＧ３が取り付けられ、第３コラムガイド板ＣＧ３に穿設された長孔と、シーリング板１８に固植されたピンとによって組込み式自動販売機１０の右半部右端寄りに上下方向に摺動自在に配設されている。第３コラムＣ３の左側壁の下端寄りの部分は、第３コラムＣ３が下限位置に降下したときにも、払出バー２４が第２コラムＣ２の下位の商品搬送ステージ３１上に商品を払い出すことができるように大きく切り欠かれている。
【００４０】
図５は、図４に示した状態での組込み式自動販売機１０の垂直断面図である。図５から分かるように、第１コラムＣ１に一体的に取り付けられた上方突出後方折曲片でなる第１コラムガイド板ＣＧ１，第２コラムＣ２に一体的に取り付けられた上方突出後方折曲片でなる第２コラムガイド板ＣＧ２，および第３コラムＣ３に一体的に取り付けられた上方突出後方折曲片でなる第３コラムガイド板ＣＧ３が、第１コラムモータＭ１，第２コラムモータＭ２および第３コラムモータＭ３の回転軸に固定された紡錘状の第１コラム駆動カムＣＣ１，第２コラム駆動カムＣＣ２，および第３コラム駆動カムＣＣ３の一端に植設された係合ピンＣＣ１ａ，ＣＣ２ａおよびＣＣ３ａと係合することにより、第１コラムＣ１，第２コラムＣ２，および第３コラムＣ３が上下方向に移動するようになっている。なお、販売動作時の第１コラムＣ１，第２コラムＣ２，および第３コラムＣ３の上下方向の移動量については、後述する高さ方向のサイズ調整機構の説明において詳述する。
【００４１】
第１コラムモータＭ１，第２コラムモータＭ２および第３コラムモータＭ３は、シーリング板１８上に出力軸を後方向に向けて配置されており、例えば、図２５に示すように、第１コラム駆動カムＣＣ１，第２コラム駆動カムＣＣ２，および第３コラム駆動カムＣＣ３には、第１コラム上下リミットスイッチＬＳＷ１，第２コラム上下リミットスイッチＬＳＷ２，および第３コラム上下リミットスイッチＬＳＷ３が、紡錘状の上下端で係合し得るように配置されている。また、係合ピンＣＣ１ａ，ＣＣ２ａおよびＣＣ３ａには、第１コラムホームスイッチＨＳＷ１，第２コラムホームスイッチＨＳＷ２，および第３コラムホームスイッチＨＳＷ３が、上限位置で係合し得るように配置されている。
【００４２】
図４に戻ると、第１コラムモータＭ１の左隣りとなるシーリング板１８上には、出力軸を左方向に向けて搬出モータＭ４が配置されている。搬出モータＭ４は、出力軸に固着されたプーリ２０がベルト２１を介して、組込み式自動販売機１０の下位側に左右方向となるように回転自在に配設されたスクリューバーでなる搬出駆動軸２２に連結されており、搬出駆動軸２２に螺合されたナット２３に払出バー（払出部材）２４が固定されている。払出バー２４は、前方向に伸び出しているとともに、下方向にも延長され、その下端縁が搬出駆動カム２５の下面側に伸び出して、搬出駆動カム２５の左右の下方突出縁と係合し得るようになっている。このため、搬出モータＭ４が駆動され、プーリ２０およびベルト２１を介して搬出駆動軸２２が回転されると、これに伴って払出バー２４が左右方向に移動し、搬出駆動カム２５を、ある条件下で摺動させることになる。すなわち、払出バー２４が左端位置にあるところから右方向に移動するときには、組込み式自動販売機１０のほぼ左右中央位置に至るまでは搬出駆動カム２５を摺動させないが、さらに払出バー２４が右方向に移動すると、払出バー２４の下端縁が搬出駆動カム２５の右の下方突出縁に当たって、搬出駆動カム２５を右端位置まで摺動させる。また、払出バー２４が右端位置にあるところから左方向に移動するときには、組込み式自動販売機１０のほぼ左右中央位置に至るまでは搬出駆動カム２５を摺動させないが、さらに払出バー２４が左方向に移動すると、払出バー２４の下端縁が搬出駆動カム２５の左の下方突出縁に当たって、搬出駆動カム２５を左端位置まで摺動させる。
【００４３】
図６は、図４および図５に示した状態での組込み式自動販売機１０の透過下面図である。組込み式自動販売機１０の底面側には、搬出駆動カム２５が横方向（左右方向）に摺動自在に設けられている。搬出駆動カム２５には、山型の搬出駆動カム溝２５ａが穿設されており、搬出駆動カム溝２５ａ内には、２本のレバー状の搬出駆動ガイド２７，２８の中程に植設された搬出駆動カム軸２６が挿入されている。搬出駆動カム軸２６は、搬出ガイド板２９に穿設された縦方向（前後方向）の搬出ガイド溝２９ａ内にも挿入されている。搬出駆動ガイド２７は、一端に穿設された長孔に搬出ガイド板２９に植設されたピン２９ｂを挿入させ、かつ他端に切り欠かれたフォーク状切欠に押出板ユニット３０の一端に連結されたピン３０ａを遊嵌させている。また、搬出駆動ガイド２８は、一端に穿設された長孔に搬出ガイド板２９に植設されたピン２９ｃを挿入させ、かつ他端に切り欠かれたフォーク状切欠に押出板ユニット３０の他端に連結されたピン３０ｂを遊嵌させている。なお、後述する搬出駆動カムスイッチＳＷ１，ＳＷ２，ＳＷ３，ＳＷ４が、搬出駆動カム２５の摺動位置を検出できるように横方向（左右方向）に並べられて配設されている。
【００４４】
押出板ユニット３０は、図５に示すように、断面長方形の棒状体で形成されていて、その高さは商品搬送ステージ３１から払出バー２４までの距離より少し小さく、その長さは商品搬送ステージ３１の幅（左右長さ）より少し小さくなっている。押出板ユニット３０は、商品搬送ステージ３１上に左右方向となるように配置されており、底部に配設されたローラにより前後方向に円滑に摺動し得るようになっている。押出板ユニット３０の両端部からは、商品搬送ステージ３１と組込み式自動販売機１０の左右側壁との間隙に入り込むように舌片が垂下された後に内側に向けて折曲されており、その先端に前記ピン３０ａ，３０ｂが固植されている。すなわち、押出板ユニット３０は、両端部の舌片によって商品搬送ステージ３１を抱え込むように配置されており、搬出駆動ガイド２７，２８からピン３０ａ，３０ｂに与えられる力によって商品搬送ステージ３１をガイドとして前後方向に摺動するようになっている。
【００４５】
図７および図８は、組込み式自動販売機１０の第１コラムＣ１の下限位置での透過正面図および垂直断面図を示す。図７に示すように、第１コラムモータＭ１が駆動されて、コラム駆動カムＣＣ１が１８０°回転し、その係合ピンＣＣ１ａが下限位置に移動することにより、これに伴って第１コラムＣ１が自重により下限位置まで移動している。このとき、図８に示すように、第１コラムＣ１に積み重ねられて収納された最下位の商品は、払出バー２４に対応する高さ位置まで下降している。
【００４６】
図９，図１０および図１１は、組込み式自動販売機１０の第１コラムＣ１からの商品払出時の透過正面図，垂直断面図および透過下面図を示す。図９に示すように、第１コラムＣ１の下限位置において、搬出モータＭ４が駆動されることにより、プーリ２０およびベルト２１を介して搬出駆動軸２２が回転し、ナット２３に固定された払出バー２４が図９で見て右方向に移動して、第１コラムＣ１に積み重ねられて収納された最下位の商品を、第１コラムＣ１から、第２コラムＣ２および第３コラムＣ３の下位に相当する商品搬送ステージ３１上に払い出す。これにより、第１コラムＣ１に積み重ねられて収納された残余の商品は、第１コラムＣ１内でダルマ落しのように順次落下する。払出バー２４は、図９および図１１に示すように、組込み式自動販売機１０のほぼ左右中央位置で停止する。
【００４７】
図１２および図１３は、組込み式自動販売機１０の第１コラムＣ１の上昇時の透過正面図および垂直断面図を示す。図１２に示すように、第１コラムモータＭ１がさらに駆動され、コラム駆動カムＣＣ１がさらに１８０°回転し、その係合ピンＣＣ１ａが上限位置に移動することにより、コラム駆動カムＣＣ１の係合ピンＣＣ１ａが第１コラムガイド板ＣＧ１の後方突出縁を押し動かし、第１コラムＣ１が上限位置にまで復動する。このとき、図１３に示すように、第１コラムＣ１の底面壁は、払出バー２４を越えた高さ位置まで戻り、第２コラムＣ２の底面壁および第３コラムＣ３の底面壁と面一となって、積み重ねられて収納されている商品が底面壁側から露呈しないように保護する。一方、販売対象となる１つの商品が商品搬送ステージ３１上に残される。
【００４８】
図１４，図１５，図１６および図１７は、組込み式自動販売機１０の商品の押出時の透過正面図，垂直断面図，要部拡大断面図および透過下面図を示す。組込み式自動販売機１０が、搬出モータＭ４を駆動することにより、プーリ２０およびベルト２１を介して搬出駆動軸２２を回転させ、払出バー２４を組込み式自動販売機１０のほぼ左右中央位置からさらに右方向に移動させる。すると、図１４に示すように、払出バー２４の下端縁が搬出駆動カム２５の右端突縁に引っ掛って、搬出駆動カム２５が右方向に摺動を開始し、組込み式自動販売機１０のほぼ左右中央位置まで摺動する。すると、搬出駆動カム溝２５ａが移動することにより、図１７に示すように、搬出駆動カム軸２６が搬出駆動カム２５の搬出駆動カム溝２５ａに沿って搬出ガイド板２９の搬出ガイド溝２９ａに案内されながら前方向に移動され、搬出駆動カム軸２６を支点とする搬出駆動ガイド２７，２８がＸ字状に開くように回動する。この結果、図１５および図１６に示すように、搬出駆動ガイド２７，２８のフォーク状切欠に遊嵌されたピン３０ａ，３０ｂが前方向に移動され、これに伴い押出板ユニット３０が最前方位置まで移動して、商品搬送ステージ３１上の販売対象の商品を販売扉１２の内蔵バネの弾力に抗して商品取出口１１から突出させる。
【００４９】
図１８および図１９は、組込み式自動販売機１０の商品の取り出し後の透過正面図および垂直断面図を示す。図１５等に示した商品が商品取出口１１から突出した状態から購買者により商品が取り出されると、図１８に示すように商品搬送ステージ３１上から商品がなくなり、図１９に示すように、販売扉１２が内蔵バネにより商品取出口１１を閉じる。この状態（販売待機状態という）では、商品取出口１１が販売扉１２によって閉じられているとともに、押出板ユニット３０によって内側から塞がれている。よって、外部から商品に達するには、販売扉１２，押出板ユニット３０，第１コラムＣ１等の底面壁を突破しなければならず、防盗性が高まることになる。
【００５０】
図２０は、組込み式自動販売機１０における電源系統を示す電気回路ブロック図である。図２０を参照すると、組込み式自動販売機１０に含まれるドライブ基板９０は、ケーブル１４を通じて組込み式自動販売機専用コントロールボックス１３（図２参照）内にあるメイン基板９１に接続され、メイン基板９１はさらに設置式自動販売機１の通信ラインに接続されている。
【００５１】
ドライブ基板９０には、第１コラム選択ボタンＢ１に対応して配設された第１コラムセレクションスイッチＳＳＷ１，第１コラム販売ランプＳＬＥＤ１，および第１コラム売切ランプＳＯＬＥＤ１が接続され、第２コラム選択ボタンＢ２に対応して配設された第２コラムセレクションスイッチＳＳＷ２，第２コラム販売ランプＳＬＥＤ２，および第２コラム売切ランプＳＯＬＥＤ２が接続され、第３コラム選択ボタンＢ３に対応して配設された第３コラムセレクションスイッチＳＳＷ３，第３コラム販売ランプＳＬＥＤ３，および第３コラム売切ランプＳＯＬＥＤ３が接続される。
【００５２】
第１コラムセレクションスイッチＳＳＷ１，第２コラムセレクションスイッチＳＳＷ２，および第３コラムセレクションスイッチＳＳＷ３は、第１コラム選択ボタンＢ１，第２コラム選択ボタンＢ２，および第３コラム選択ボタンＢ３に内蔵されたスイッチであり、第１コラム選択ボタンＢ１，第２コラム選択ボタンＢ２，および第３コラム選択ボタンＢ３が押されたことを検出する。
【００５３】
第１コラム販売ランプＳＬＥＤ１，第２コラム販売ランプＳＬＥＤ２，および第３コラム販売ランプＳＬＥＤ３は、第１コラム選択ボタンＢ１，第２コラム選択ボタンＢ２，および第３コラム選択ボタンＢ３が押されたときに、第１コラムＣ１，第２コラムＣ２，および第３コラムＣ３に商品が有れば（第１コラム売切スイッチＳＯＳＷ１，第２コラム売切スイッチＳＯＳＷ２，第３コラム売切スイッチＳＯＳＷ３がオン（またはオフ）であれば）、点灯するＬＥＤ（Light Emitting Diode）ランプである。
【００５４】
第１コラム売切ランプＳＯＬＥＤ１，第２コラム売切ランプＳＯＬＥＤ２，および第３コラム売切ランプＳＯＬＥＤ３は、第１コラム選択ボタンＢ１，第２コラム選択ボタンＢ２，および第３コラム選択ボタンＢ３が押されたときに、第１コラムＣ１，第２コラムＣ２，および第３コラムＣ３に商品が無ければ（第１コラム売切スイッチＳＯＳＷ１，第２コラム売切スイッチＳＯＳＷ２，第３コラム売切スイッチＳＯＳＷ３がオフ（またはオン）であれば）、点灯するＬＥＤ（Light Emitting Diode）ランプである。
【００５５】
第１コラム売切スイッチＳＯＳＷ１，第２コラム売切スイッチＳＯＳＷ２，および第３コラム売切スイッチＳＯＳＷ３は、第１コラム売切スイッチレバーＳＬ１，第２コラム売切スイッチレバーＳＬ２，および第３コラム売切スイッチレバーＳＬ３（図２２等参照）に連結し、第１コラムＣ１，第２コラムＣ２，および第３コラムＣ３に商品があるかないかに応じてオン／オフするスイッチである。
【００５６】
また、ドライブ基板９０には、販売扉１２の開閉に連動してオン／オフする販売扉スイッチＳＷ０と、搬出駆動カム２５の位置を検出する第１ないし第４搬出駆動カムスイッチＳＷ１〜ＳＷ４（図６等参照）と、搬出駆動カム右サイドスイッチＳＷＲおよび搬出駆動カム左サイドスイッチＳＷＬとが接続されている。
【００５７】
搬出駆動カム右サイドスイッチＳＷＲおよび搬出駆動カム左サイドスイッチＳＷＬは、払出バー２４が商品を押圧しても３秒以上動かない場合（例えば、商品がどこかに引っ掛って動かないような場合）、エラーを検出して払出バー２４を元の位置に戻すことになるが、そのときに払出バー２４が元の位置に戻ったことを検出するスイッチである。これらのスイッチは、図６等では図示を省略されている。
【００５８】
さらに、ドライブ基板９０には、第１コラムモータＭ１，第２コラムモータＭ２，第３コラムモータＭ３，搬出モータＭ４，およびファンモータＭ５が接続されている。ファンモータＭ５は、後述するファン６１（図３６等参照）のモータである。
【００５９】
さらにまた、ドライブ基板９０には、第１コラムホームスイッチＨＳＷ１，第２コラムホームスイッチＨＳＷ２，および第３コラムホームスイッチＨＳＷ３と、第１コラム上下リミットスイッチＬＳＷ１，第２コラム上下リミットスイッチＬＳＷ２，および第３コラム上下リミットスイッチＬＳＷ３とが接続されている（図２５等参照）。
【００６０】
第１コラムホームスイッチＨＳＷ１，第２コラムホームスイッチＨＳＷ２，および第３コラムホームスイッチＨＳＷ３は、第１コラムＣ１，第２コラムＣ２，および第３コラムＣ３が上限位置であるホームにあることを検出するスイッチであり、第１コラム上下リミットスイッチＬＳＷ１，第２コラム上下リミットスイッチＬＳＷ２，および第３コラム上下リミットスイッチＬＳＷ３は、第１コラムＣ１，第２コラムＣ２，および第３コラムＣ３が上限位置または下限位置にあることを検出するスイッチである。これらのスイッチの詳細については、後述する高さ方向のサイズ調整機構の説明において述べる。
【００６１】
加えて、ドライブ基板９０には、温度センサ１９が接続されている。温度センサ１９は、後述するように、組込み式自動販売機１０の要冷却エリアの温度を検知してファン６１を駆動したり、停止したりする役目をする（図３６等参照）。
【００６２】
図２１を参照すると、組込み式自動販売機１０の動作は、扉クローズ検出ステップＳ１０１と、搬出モータ駆動ステップＳ１０２と、払出バー左／右端・押出板ユニット後端判定ステップＳ１０３と、搬出モータ停止ステップＳ１０４と、コラムモータコラム下降方向への駆動ステップＳ１０５と、コラム上下リミットスイッチオフ判定ステップＳ１０６と、コラム下端到達判定ステップＳ１０７と、コラムモータ停止ステップＳ１０８と、搬出モータ駆動ステップＳ１０９と、商品落下判定ステップＳ１１０と、搬出モータ停止ステップＳ１１１と、コラムモータコラム上昇方向への駆動ステップＳ１１２と、コラム上端到達ステップＳ１１３と、コラムモータ停止ステップＳ１１４と、搬出モータ駆動ステップＳ１１５と、押出板ユニット販売待機位置到達判定ステップＳ１１６と、搬出モータ停止ステップＳ１１７と、商品突出判定ステップＳ１１８と、一定時間経過判定ステップＳ１１９と、搬出エラーステップＳ１２０と、商品取出し判定ステップＳ１２１と、一定時間経過判定ステップＳ１２２とからなる。
【００６３】
次に、このように構成された実施例１に係る組込み式自動販売機１０の動作について、設置式自動販売機１の動作とともに説明する。
【００６４】
（１）  販売待機状態
販売待機状態は、前回の商品販売が終了した状態であり、搬出駆動カム２５は、図１８に示すように、組込み式自動販売機１０のほぼ左右中央位置で停止しており、払出レバー２４の下端縁は、搬出駆動カム２５の右端突縁に係合する位置にある。また、押出板ユニット３０は、図１９に示すように、最前方位置にあり、販売扉１２と対向して商品取出口１１を内側から塞いでいる。
【００６５】
いま、この販売待機状態から、購買者が設置式自動販売機１の金銭投入口４に商品の購入に十分な金銭を投入すると、設置式自動販売機１の商品ディスプレイ部３の各種選択ボタン（図示せず）が点灯するとともに、組込み式自動販売機１０の第１コラム選択ボタンＢ１，第２コラム選択ボタンＢ２，または第３コラム選択ボタンＢ３の第１コラム販売ランプＳＬＥＤ１，第２コラム販売ランプＳＬＥＤ２，または第３コラム販売ランプＳＬＥＤ３が点灯する。なお、第１コラムＣ１，第２コラムＣ２，または第３コラムＣ３に商品がないときには、第１コラム売切スイッチレバーＳＬ１，第２コラム売切スイッチレバーＳＬ２，または第３コラム売切スイッチレバーＳＬ３が押されないので、第１コラム売切スイッチＳＯＳＷ１，第２コラム売切スイッチＳＯＳＷ２，または第３コラム売切スイッチＳＯＳＷ３がオフ（またはオン）となり、第１コラム販売ランプＳＬＥＤ１，第２コラム販売ランプＳＬＥＤ２，または第３コラム販売ランプＳＬＥＤ３の代わりに、第１コラム売切ランプＳＯＬＥＤ１，第２コラム売切ランプＳＯＬＥＤ２，または第３コラム売切ランプＳＯＬＥＤ３が点灯される。
【００６６】
次に、購買者が組込み式自動販売機１０で販売されている商品を購入するために、例えば第１コラム選択ボタンＢ１を押したものとする。すなわち、第１コラムＣ１に積み重ねられて収納された最下位の商品が販売対象商品として選択されたものとする。
【００６７】
すると、組込み式自動販売機１０は、まず、販売扉スイッチＳＷ０により販売扉１２がクローズしているか否かを確認する（ステップＳ１０１）。販売扉１２がクローズしていない場合は、組込み式自動販売機１０は、販売扉１２がクローズするまで確認を繰り返す。
【００６８】
販売扉１２のクローズが確認されると、組込み式自動販売機１０は、搬出モータＭ４を駆動することにより、プーリ２０およびベルト２１を介して搬出駆動軸２２を回転させる（ステップＳ１０２）。これにより、払出バー２４が組込み式自動販売機１０のほぼ左右中央位置から一旦、左端位置に移動し、その過程で払出バー２４の下端縁が搬出駆動カム２５の左端突縁に係合して搬出駆動カム２５も左端位置に移動される（図４および図６参照）。また、搬出駆動カム２５の左端位置への移動に伴って、搬出駆動カム軸２６が搬出駆動カム溝２５ａに沿って搬出ガイド板２９の搬出ガイド溝２９ａに案内されながら後端位置に摺動する（図４および図６参照）。搬出駆動カム軸２６が後端位置に戻るのに伴って、搬出駆動ガイド２７，２８が搬出駆動カム軸２６を支点として回動して、ピン３０ａ，３０ｂを介して押出板ユニット３０が後端位置に移動する（ステップＳ１０３）（図６参照）。
【００６９】
搬出駆動カム２５が左端位置に到達すると、組込み式自動販売機１０は、第１搬出駆動カムスイッチＳＷ１がオン、第２搬出駆動カムスイッチＳＷ２，第３搬出駆動カムスイッチＳＷ３，および第４搬出駆動カムスイッチＳＷ４がオフすることを検出して、搬出モータＭ４の駆動を停止する（ステップＳ１０４）。
【００７０】
（２）  第１コラムＣ１の下限位置への移動
次に、組込み式自動販売機１０は、第１コラムＣ１に対応する第１コラムモータＭ１を駆動することにより、第１コラム駆動カムＣＣ１を１８０°回転させ、第１コラムＣ１を自重により下限位置まで移動させる（ステップＳ１０５）（図７および図８参照）。なお、第１コラムＣ１は、所定の下限位置まで移動すると、後述する第１コラムベースストッパ５５（図２４等参照）がコラム後調整板ガイド４４に係合することにより停止する。
【００７１】
続いて、組込み式自動販売機１０は、第１コラム上下リミットスイッチＬＳＷ１が一度オフするかどうかを確認し（ステップＳ１０６）、再び第１コラム上下リミットスイッチＬＳＷ１がオンしたことを検出することにより、第１コラムＣ１が正常に下限位置に到達したかどうかをチェックする（ステップＳ１０７）。
【００７２】
第１コラムＣ１が下限位置に到達したことを検出したならば（ステップＳ１０７でイエス）、組込み式自動販売機１０は、第１コラムモータＭ１を停止する（ステップＳ１０８）。
【００７３】
（３）  商品の払出
続いて、組込み式自動販売機１０は、搬出モータＭ４を駆動することにより、プーリ２０およびベルト２１を介して搬出駆動軸２２を回転する（ステップＳ１０９）。これにより、搬出駆動軸２２に螺合されたナット２３に固定された払出バー２４が右方向に移動し、第１コラムＣ１に積み重ねられて収納された最下位の商品を第１コラムＣ１内から第２コラムＣ２および第３コラムＣ３の下位に相当する商品搬送ステージ３１上に払い出す（ステップＳ１１０）（図９，図１０および図１１参照）。
【００７４】
第１コラムＣ１内から商品が商品搬送ステージ３１上に払い出されたならば、つまり商品が落下する組込み式自動販売機１０のほぼ左右中央位置まで払出バー２４が移動したならば（ステップＳ１１０でイエス）、組込み式自動販売機１０は、搬出モータＭ４の駆動を停止する（ステップＳ１１１）。
【００７５】
（４）  第１コラムＣ１の上昇
次に、組込み式自動販売機１０は、第１コラムモータＭ１を駆動することにより、第１コラム駆動カムＣＣ１を１８０°回転し、販売対象商品が払い出された第１コラムＣ１を上限位置に復動させる（ステップＳ１１２）（図１２および図１３参照）。
【００７６】
第１コラム上下リミットスイッチＬＳＷ１がオン、かつ第１コラムホームスイッチＨＳＷ１がオンすることにより、第１コラムＣ１が上限位置に達したことを検出したならば（ステップＳ１１３）、組込み式自動販売機１０は、第１コラムモータＭ１を停止する（ステップＳ１１４）。
【００７７】
（５）  商品の押出
続いて、組込み式自動販売機１０は、搬出モータＭ４を駆動することにより、プーリ２０およびベルト２１を介して搬出駆動軸２２を回転させ、払出バー２４の下端縁が搬出駆動カム２５の右端突縁を引っ掛けて組込み式自動販売機１０のほぼ左右中央位置にまで移動させる（ステップＳ１１５）（図１４および図１７参照）。これにより、搬出駆動カム軸２６が搬出駆動カム２５の搬出駆動カム溝２５ａに沿って搬出ガイド板２９の搬出ガイド溝２９ａに案内されながら前方向に移動され、搬出駆動カム軸２６を支点とする搬出駆動ガイド２７，２８の回動により、押出板ユニット３０が最前方位置まで移動し、商品を販売扉１２の内蔵バネの弾力に抗して商品取出口１１から突出させる（ステップＳ１１６）（図１５および図１６参照）。
【００７８】
搬出駆動カム２５が組込み式自動販売機１０のほぼ左右中央位置に摺動して、移動押出板ユニット３０が最前方位置（販売待機位置）に達すると（ステップＳ１１６でイエス）、組込み式自動販売機１０は、第１搬出駆動カムスイッチＳＷ１がオフ、第２搬出駆動カムスイッチＳＷ２がオン、第３搬出駆動カムスイッチＳＷ３がオン、第４搬出駆動カムスイッチＳＷ４がオフすることを検出して、搬出モータＭ４の駆動を停止する（ステップＳ１１７）。
【００７９】
次に、組込み式自動販売機１０は、商品が販売扉１２を押し開けて商品取出口１１から突出したことを販売扉スイッチＳＷ０のオン（またはオフ）により確認し（ステップＳ１１８）、一定時間経過しても販売扉１２が開放されず、商品が商品取出口１１から突出しない場合には（ステップＳ１１９でイエス）、搬出エラーとする（ステップＳ１２０）。
【００８０】
（６）  商品販売の終了
購買者が商品取出口１１から突出した商品を取り出すと、組込み式自動販売機１０は、商品が商品取出口１１から取り出されたことを、販売扉１２のクローズにより販売扉スイッチＳＷ０のオフ（またはオン）により確認し（ステップＳ１２１）、商品販売を終了する。ただし、一定時間経過しても商品取出口１１から商品が取り出されない場合には（ステップＳ１２２でイエス）、組込み式自動販売機１０は、強制的に商品の販売終了とする。
【００８１】
なお、上記動作の説明では、購買者が、第１コラムＣ１に積み重ねられて収納された商品を購入するために、第１コラム選択ボタンＢ１を押した場合の動作について説明したが、第２コラムＣ２に積み重ねられて収納された商品または第３コラムＣ３に積み重ねられて収納された商品を購入するために、第２コラム選択ボタンＢ２または第３コラム選択ボタンＢ３を押した場合には、組込み式自動販売機１０は、払出バー２４および搬出駆動カム２５を、販売待機状態である組込み式自動販売機１０のほぼ左右中央位置から右端位置に一旦移動させる。その後の動作については、第１コラム選択ボタンＢ１を押した場合から容易に類推可能であるので、その詳細な説明は省略する。
【００８２】
本実施例１に係る組込み式自動販売機１０によれば、設置式自動販売機１に組み込むことによって、設置場所を確保することなしに、設置式自動販売機１が販売する商品とは異なる商品を同時に販売することが可能になる。
【００８３】
また、商品を積み重ねて収納する第１コラムＣ１，第２コラムＣ２，および第３コラムＣ３自体が上下方向に移動し、第１コラムＣ１，第２コラムＣ２，および第３コラムＣ３に積み重ねられて収納された最下位の商品のみが横方向（左右方向）に摺動を繰り返す搬出バー２４により払い出されることにより、該当コラム以外のコラムの真下に商品を払い出すことが可能になるので、従来、商品の払出動作上必要であった前後方向のスペースが不要となり、前後方向に厚さの薄い組込み式自動販売機１０を実現でき、従来の設置式自動販売機１ではできなかった前面扉２に組込み式自動販売機１０を組み込むことが可能になった。また、払出方向を左右方向としたことにより、商品取出口１１と未販売の商品との間に開口部が無く、防盗性の向上とともに、それを目的としたスペースも不要となる。
【００８４】
さらに、搬出駆動カム２５の左右方向の摺動を押出板ユニット３０の前後方向の動作に変換するようにしたので、組込み式自動販売機１０の縦方向（前後方向）の大きさを小さくすることができ、従来の設置式自動販売機１ではできなかった前面扉２の部分に組込み式自動販売機１０を組み込むことが可能になる。
【００８５】
さらにまた、押出板ユニット３０が商品を商品取出口１１に押し出すとともに、商品取出口１１を内側から遮蔽するので、販売扉１２を開いたとしても、押出板ユニット３０で商品取出口１１が内側から塞がれているため、組込み式自動販売機１０の防盗性が高まる。
【００８６】
次に、実施例１に係る組込み式自動販売機１０における第１コラムＣ１，第２コラムＣ２，および第３コラムＣ３のサイズ調整機構について説明する。
【００８７】
図２２は、組込み式自動販売機１０の第１コラムＣ１，第２コラムＣ２，および第３コラムＣ３のサイズ調整機構を示す透過背面図である。図２２を参照すると、第１コラムＣ１，第２コラムＣ２，および第３コラムＣ３のサイズ調整機構は、それぞれ、縦方向（前後方向）のサイズ調整機構と、横方向（左右方向）のサイズ調整機構と、高さ方向（上下方向）のサイズ調整機構とに分かれる。
【００８８】
図２３は、組込み式自動販売機１０の第１コラムＣ１，第２コラムＣ２，および第３コラムＣ３の縦方向（前後方向）のサイズ調整機構を示す水平断面図である。縦方向（前後方向）のサイズ調整機構は、第１コラム後調整板４１，第２コラム後調整板４２，第３コラム後調整板４３と、コラム後調整板ガイド４４とから、その主要部が構成されている。詳しくは、第１コラム後調整板４１は、上下２本のアームが突設された板体でなり（図２２参照）、図２３で見て右端部を支軸４１ｂによって揺動自在に軸支され、自身に植設されたピン４１ａをコラム後調整板ガイド４４に穿設された複数の穴４４ａのいずれかに挿入させることにより、第１コラムＣ１に積み重ねられて収納された商品の縦寸法（前後寸法）を規制する。また、第２コラム後調整板４２は、上下２本のアームが突設された板体でなり（図２２参照）、図２３で見て左端部を支軸４２ｂによって揺動自在に軸支され、自身に植設されたピン４２ａをコラム後調整板ガイド４４に穿設された複数の穴４４ｂのいずれかに挿入させることにより、第２コラムＣ２に積み重ねられて収納された商品の縦寸法（前後寸法）を規制する。さらに、第３コラム後調整板４３も、第２コラム後調整板４２と同様に、上下２本のアームが突設された板体でなり（図２２参照）、図２３で見て左端部を支軸４３ｂによって揺動自在に軸支され、自身に植設されたピン４３ａをコラム後調整板ガイド４４に穿設された複数の穴４４ｃのいずれかに挿入させることにより、第３コラムＣ３に積み重ねられて収納された商品の縦寸法（前後寸法）を規制する。
【００８９】
図２４は、組込み式自動販売機１０の第１コラムＣ１の横方向（左右方向）のサイズ調整機構を示す要部正面図である。第１コラムＣ１の横方向（左右方向）のサイズ調整機構は、水平断面Ｌ字状に折曲された板体でなる第１コラム横調整板４５と、第１コラム横調整板４５の、図２４で見て背面側（前側）の上下位置に前方向に向けて固植された固定ピン４５ａ，４５ｂと、第１コラムＣ１の内面壁に穿設された櫛歯状溝Ｃ１ａ，Ｃ１ｂとから構成されている。第１コラム横調整板４５は、固定ピン４５ａ，４５ｂが櫛歯状溝Ｃ１ａ，Ｃ１ｂのいずれかの溝に係止されて位置調整されて固定される。これにより、第１コラムＣ１内に積み重ねられて収納された商品は、横寸法（左右寸法）を第１コラムＣ１の左内側壁と第１コラム横調整板４５の前後方向壁とで挟まれて規制される。
【００９０】
また、第２コラムＣ２の横方向（左右方向）のサイズ調整機構も、第１コラムＣ１の横方向（左右方向）のサイズ調整機構と同様に、図２２に示すように、水平断面Ｌ字状に折曲された板体でなる第２コラム横調整板４６と、第２コラム横調整板４６の背面側（前側）の上下位置に前方向に向けて固植された固定ピン４６ａ，４６ｂと、第２コラムＣ２の内面壁に穿設された櫛歯状溝Ｃ２ａ，Ｃ２ｂとから構成されている。第２コラム横調整板４６は、固定ピン４６ａ，４６ｂが櫛歯状溝Ｃ２ａ，Ｃ２ｂのいずれかの溝に係止されて位置調整されて固定される。これにより、第２コラムＣ２内に積み重ねられて収納された商品は、横寸法（左右寸法）を第２コラムＣ２の右内側壁と第２コラム横調整板４６の前後方向壁とで挟まれて規制される。
【００９１】
さらに、第３コラムＣ３の横方向（左右方向）のサイズ調整機構も、第２コラムＣ２の横方向（左右方向）のサイズ調整機構と同様に、図２２に示すように、水平断面Ｌ字状に折曲された板体でなる第３コラム横調整板４７と、第３コラム横調整板４７の背面側（前側）の上下位置に前方向に向けて固植された固定ピン４７ａ，４７ｂと、第３コラムＣ３の内面壁に穿設された櫛歯状溝Ｃ３ａ，Ｃ３ｂとから構成されている。第３コラム横調整板４７は、固定ピン４７ａ，４７ｂが櫛歯状溝Ｃ３ａ，Ｃ３ｂのいずれかの溝に係止されて位置調整されて固定される。これにより、第３コラムＣ３内に積み重ねられて収納された商品は、横寸法（左右寸法）を第３コラムＣ３の右内側壁と第３コラム横調整板４７の前後方向壁とで挟まれて規制される。
【００９２】
図２５，図２６，および図２７は、組込み式自動販売機１０の第２コラムＣ２の高さ方向（上下方向）のサイズ調整機構を示す垂直断面図である。第２コラムＣ２の高さ方向（上下方向）のサイズ調整機構は、第２コラムダイアルＤ２と、第２コラムダイアルレバーＤＬ２と、第２コラム側板５２と、第２コラムベースストッパ５６とから、その主要部が構成されている。第２コラムダイアルＤ２は、外周に係止爪が連設された円盤体で形成され、その裏面には渦巻状のカム溝Ｄ２ａが穿設されている。第２コラムダイアルＤ２は、中心を第２コラムＣ２の右側壁に植設された支軸Ｄ２ｂに回転自在に軸支されており、第２コラムダイアルレバーＤＬ２が係止爪に係合することによって回転位置に係止されている。第２コラム側板５２は、第２コラムＣ２の右側壁に長孔とピンとによって上下方向に摺動自在に設けられており、その後側端部に第２コラムベースストッパ５６が固定されている。第２コラム側板５２には、カムピン５２ａが植設されており、カムピン５２ａは、第２コラムダイアルＤ２のカム溝Ｄ２ａに嵌入されている。よって、図２６に示すように、第２コラムダイアルＤ２を、第２コラムダイアルレバーＤＬ２による係止を解いて回転させると、カム溝Ｄ２ａが旋回し、これにともないカムピン５２ａもカム溝Ｄ２ａ内を移動して、第２コラム側板５２が上下方向に移動される。このため、コラム下降限定寸法ａおよび商品隙間寸法ｂを調整することができる。図２７は、第２コラムＣ２の右側壁に対して、第２コラム側板５２を最も上方向に上げた状態を示す。
【００９３】
なお、詳細図を用いて詳しくは説明しないが、第１コラムＣ１の高さ方向（上下方向）のサイズ調整機構も、第２コラムＣ２の高さ方向（上下方向）のサイズ調整機構と同様に、第１コラムダイアルＤ１と、第１コラムダイアルレバーＤＬ１と、第１コラム側板５１と、第１コラムベースストッパ５５とから、その主要部が構成されている（図２２参照）。ただし、図２２に示すように、第２コラムＣ２の高さ方向（上下方向）のサイズ調整機構が第２コラムＣ２の右側壁の外側となるように配置されているのに対して、第１コラムＣ１の高さ方向（上下方向）のサイズ調整機構は、第１コラムＣ１の左側壁の外側となるように配置されている。また、第３コラムＣ３の高さ方向（上下方向）のサイズ調整機構も、第２コラムＣ２の高さ方向（上下方向）のサイズ調整機構と同様に、第３コラムダイアルＤ３と、第３コラムダイアルレバーＤＬ３と、第３コラム側板５３と、第３コラムベースストッパ５７とから、その主要部が構成されている。第１コラムＣ１の高さ方向（上下方向）のサイズ調整機構，および第３コラムＣ３の高さ方向（上下方向）のサイズ調整機構が、第２コラムＣ２の高さ方向（上下方向）のサイズ調整機構と同様に動作することはいうまでもない。
【００９４】
図２８ないし図３５は、組込み式自動販売機１０における商品補充の仕方およびサイズ調整操作を説明する工程図である。
【００９５】
次に、商品補充の仕方およびサイズ調整操作を、第１コラムＣ１を例にとって説明する。
【００９６】
まず、図２８に示すように、後扉１６がマグネットキャッチ１７にて吸着されているので、後扉１６の左端の取手部に手を引っ掛け、手前に引っ張って開く。
【００９７】
次に、図２９に示すように、第１コラムＣ１における第１コラム後調整板４１はピン４１ａがコラム後調整板ガイド４４の穴４４ａに挿し込まれて固定されているので、第１コラム後調整板４１の取手部を少し持ち上げ、手前に引き出す。なお、商品の種類を入れ替える場合には、サイズ調整操作を行なう必要があるので、前の商品が残っている場合は、残っている商品を全て取り出す。
【００９８】
続いて、図３０に示すように、第１コラムＣ１に商品を２つ以上入れ、横方向（左右方向）のサイズ調整を行なう。すなわち、第１コラム横調整板４５を上方に少し持ち上げて、第１コラム横調整板４５と商品とのすきまが適切となる位置にて第１コラム横調整板４５の固定ピン４５ａ，４５ｂを櫛歯状溝Ｃ１ａ，Ｃ１ｂのいずれかの溝に嵌め込むように下方へ下げる。詳しくは、まず、第１コラム横調整板４５を上方に持ち上げ、商品より大きい位置まで移動させる。第１コラム横調整板４５は、第１コラムＣ１の正面にある上下２ヶ所の櫛歯状溝Ｃ１ａ，Ｃ１ｂの中を移動するようになっている。次に、商品を２つ以上入れ、商品との商品隙間寸法ｃが約１〜６ｍｍになるような位置まで第１コラム横調整板４５を移動し下ろす。第１コラム横調整板４５は、約６ｍｍ間隔で調整できるようになっている。サイズ調整の終了後、第１コラム横調整板４５が斜めに傾いていないことを確認する。
【００９９】
次に、図３１に示すように、第１コラムダイアルＤ１を回すことにより、高さ方向（上下方向）のサイズ調整を行なう。詳しくは、商品を１つ、第１コラムＣ１の中に入れる。次に、第１コラムダイアルレバーＤＬ１を持ち上げて第１コラムダイアルＤ１のロックを解除し、第１コラム側板５１が商品より高くなるまで第１コラムダイアルＤ１を回転させる。第１コラムダイアルＤ１の数字が大きい方に回すと、第１コラム側板５１が上がる。第１コラムダイアルＤ１の数字は、第１コラムＣ１の目盛合せ位置の凸部にて確認する。続いて、第１コラム側板５１の下に商品を滑り込ませ、図３２に示すように、商品隙間寸法ｂを１〜２ｍｍになるように第１コラムダイアルＤ１を回し調整する。第１コラムダイアルＤ１の１目盛で第１コラム側板５１は、約０．５ｍｍ上下する。そして、第１コラムダイアルレバーＤＬ１を下げ、第１コラムダイアルＤ１がロックされていることを確認する。
【０１００】
続いて、図３５に示すように、商品を第１コラムＣ１の奥側壁面に沿って第１コラム売切スイッチレバーＳＬ１の上となるように積み重ねて収納（補充）する。なお、商品の補充位置は、第１コラムＣ１では第１コラム横調整板４５の左側であるが、第２コラムＣ２および第３コラムＣ３では第２コラム横調整板４６および第３コラム横調整板４７の右側である。
【０１０１】
最後に、図３３および図３４に示すように、第１コラム後調整板４１を回動操作することにより、縦方向（前後方向）のサイズ調整を行なう。詳しくは、第１コラム後調整板４１に取り付けられているピン４１ａを、コラム後調整板ガイド４４の所望の穴４４ａに差し込むことにより、第１コラム後調整板４１の回動方向位置を決定し、商品の後方をガイドする。第１コラム後調整板４１の先端が商品と接触するひとつ手前の穴４４ａにピン４１ａを挿し込むとよい。第１コラム後調整板４１の振れる範囲に収まる商品ならば、ガイド可能である。
【０１０２】
なお、ここでは、第１コラムＣ１を例にとって商品補充の仕方およびサイズ調整操作を説明したが、第２コラムＣ２および第３コラムＣ３に対しても同様の商品補充およびサイズ調整を行なう。
【０１０３】
最後に、第１コラムＣ１，第２コラムＣ２，および第３コラムＣ３の第１コラム後調整板４１，第２コラム後調整板４２，および第３コラム後調整板４３をセットしたことを確認してから、後扉１６を閉める。
【０１０４】
このように実施例１に係る組込み式自動販売機１０によれば、各種サイズの商品に対応するために、第１コラムＣ１，第２コラムＣ２，および第３コラムＣ３の縦，横，および高さの３つの寸法に対し調整が可能であるので、所定のサイズの範囲内にある商品であれば、同じコラムにて販売が可能となる。
【０１０５】
また、縦方向のサイズ調整を、商品の背面を押えるべく、回動操作にて調整可能な第１コラム後調整板４１，第２コラム後調整板４２，および第３コラム後調整板４３を設け、第１コラム後調整板４１，第２コラム後調整板４２，および第３コラム後調整板４３に取り付けられていたピン４１ａ，４１ｂ，４１ｃを所定の穴４４ａ，４４ｂ，４４ｃに挿し込むだけで調整可能な機構としたことにより、縦方向（前後方向）の調整行為が簡単になり、特に習熟を必要としなくなる。
【０１０６】
さらに、横方向（左右方向）のサイズ調整を、第１コラム横調整板４５，第２コラム横調整板４６，および第３コラム横調整板４７に取り付けられた固定ピン４５ａ，４５ｂ，４６ａ，４６ｂ，４７ａ，４７ｂを、櫛歯状溝Ｃ１ａ，Ｃ１ｂ，Ｃ２ａ，Ｃ２ｂ，Ｃ３ａ，Ｃ３ｂの所定位置に引っ掛けるだけで調整可能な機構としたことにより、横方向のサイズ調整操作が簡単になり、特に習熟を必要としなくなる。
【０１０７】
さらにまた、高さ方向（上下方向）のサイズ調整機構を、販売動作時に下降する距離を第１コラムＣ１，第２コラムＣ２，および第３コラムＣ３に連結された第１コラムベースストッパ５５，第２コラムベースストッパ５６，および第３コラムベースストッパ５７の位置を調整することにより調整可能な機構とすることにより、高さ方向のサイズ調整操作が簡単になり、特に習熟を必要としなくなる。
【０１０８】
加えて、第１コラムベースストッパ５５，第２コラムベースストッパ５６，および第３コラムベースストッパ５７の調整を第１コラムダイアルＤ１，第２コラムダイアルＤ２，および第３コラムダイアルＤ３により簡単に行なうことを可能としたことにより、商品に対応した数値管理が可能になる。
【０１０９】
図３６，図３７および図３８は、設置式自動販売機１の前面扉２に組み込まれた組込み式自動販売機１０を示す背面図，要部断面図および拡大断面図である。
【０１１０】
図３６からも分かるように、組込み式自動販売機１０は、後扉１６に、設置式自動販売機１内の冷気を吸気するファン６１と、複数の排気口６３と、後扉１６の周縁を取り囲む断熱材でなる連結部６４とを備えている。なお、符号１９は、組込み式自動販売機１０の要冷却エリアの温度を計測する温度センサ１９（図２０参照）を示す。
【０１１１】
また、図３７および図３８に示すように、設置式自動販売機１の前面扉２には、断熱壁２ａが設けられ、断熱壁２ａの、連結部６４と対応する位置には、吸気孔２ｂおよび排気孔２ｃが隔壁２ｄを挟んで形成されている。吸気孔２ｂはファン６１に対向し、排気孔２は排気口６３に対向している。
【０１１２】
このため、組込み式自動販売機１０を設置式自動販売機１の前面扉２に組み込んだ状態では、前面扉２の断熱壁２ａに穿設された吸気孔２ｂおよび排気孔２ｃを通じて組込み式自動販売機１０の要冷却エリアと設置式自動販売機１の冷却エリアとが連通され、ファン６１および排気口６３によって冷気循環が行なわれる。詳しくは、組込み式自動販売機１０は、組込み式自動販売機１０の要冷却エリアの温度が所定温度より上昇すると、温度センサ１９によりこれを検知してファン６１を駆動する。このため、ファン６１を通じて設置式自動販売機１の冷却エリアの冷気が組込み式自動販売機１０の要冷却エリアに取り込まれるとともに、排気口６３を通じて組込み式自動販売機１０の要冷却エリアの暖気が設置式自動販売機１の冷却エリアに流れ出し、組込み式自動販売機１０の要冷却エリアの温度が低下する。組込み式自動販売機１０は、組込み式自動販売機１０の要冷却エリアの温度が所定温度より低下すると、温度センサ１９によりこれを検知してファン６１を停止する。よって、組込み式自動販売機１０の要冷却エリアの温度がほぼ一定の範囲に保たれる。
【０１１３】
このように実施例１に係る組込み式自動販売機１０によれば、設置式自動販売機１に内蔵された冷却エリアより冷気を組込み式自動販売機１０の要冷却エリアに導入することにより、組込み式自動販売機１０に新たに冷却部（装置）を設けることなく、組込み式自動販売機１０内の商品の冷却が可能になる。
【０１１４】
以上、本発明の実施例を説明したが、これはあくまでも例示にすぎず、本発明はこれに限定されるものではなく、特許請求の範囲の趣旨を逸脱しない限りにおいて、当業者の知識に基づく種々の変更または拡張が可能である。
【図面の簡単な説明】
【０１１５】
【図１】本発明の実施例１に係る組込み式自動販売機を搭載する設置式自動販売機の正面図。
【図２】図１中の設置式自動販売機の前面扉を開けて背面側から見た図。
【図３】本実施例１に係る組込み式自動販売機を後扉を開けて示す図。
【図４】本実施例１に係る組込み式自動販売機の内部を示す透過正面図。
【図５】本実施例１に係る組込み式自動販売機の垂直断面図。
【図６】本実施例１に係る組込み式自動販売機の透過下面図。
【図７】本実施例１に係る組込み式自動販売機の内部を示す透過正面図。
【図８】図７に示した状態での組込み式自動販売機の垂直断面図。
【図９】本実施例１に係る組込み式自動販売機の内部を示す透過正面図。
【図１０】図９に示した状態での組込み式自動販売機の垂直断面図。
【図１１】図９に示した状態での組込み式自動販売機の透過下面図。
【図１２】本実施例１に係る組込み式自動販売機の内部を示す透過正面図。
【図１３】図１２に示した状態での組込み式自動販売機の垂直断面図。
【図１４】本実施例１に係る組込み式自動販売機の内部を示す透過正面図。
【図１５】図１４に示した状態での組込み式自動販売機の垂直断面図。
【図１６】図１７中のＡ−Ａ線での組込み式自動販売機の要部拡大断面図。
【図１７】図１４に示した状態での組込み式自動販売機の透過下面図。
【図１８】本実施例１に係る組込み式自動販売機の内部を示す透過正面図。
【図１９】図１８に示した状態での組込み式自動販売機の垂直断面図。
【図２０】本実施例１に係る組込み式自動販売機の電源系統を示す回路ブロック図。
【図２１】本実施例１に係る組込み式自動販売機の動作を示すフローチャート。
【図２２】本実施例１に係る組込み式自動販売機の透過背面図。
【図２３】図２２に示した状態での組込み式自動販売機の水平断面図。
【図２４】図２２中の第１コラムを示す要部拡大図。
【図２５】本実施例１に係る組込み式自動販売機の内部を示す垂直断面図。
【図２６】本実施例１に係る組込み式自動販売機の内部を示す垂直断面図。
【図２７】本実施例１に係る組込み式自動販売機の内部を示す垂直断面図。
【図２８】本実施例１に係る組込み式自動販売機における商品補充の仕方およびサイズ調整操作を説明する工程図。
【図２９】本実施例１に係る組込み式自動販売機における商品補充の仕方およびサイズ調整操作を説明する工程図。
【図３０】本実施例１に係る組込み式自動販売機における商品補充の仕方およびサイズ調整操作を説明する工程図。
【図３１】本実施例１に係る組込み式自動販売機における商品補充の仕方およびサイズ調整操作を説明する工程図。
【図３２】本実施例１に係る組込み式自動販売機における商品補充の仕方およびサイズ調整操作を説明する工程図。
【図３３】本実施例１に係る組込み式自動販売機における商品補充の仕方およびサイズ調整操作を説明する工程図。
【図３４】本実施例１に係る組込み式自動販売機における商品補充の仕方およびサイズ調整操作を説明する工程図。
【図３５】本実施例１に係る組込み式自動販売機における商品補充の仕方およびサイズ調整操作を説明する工程図。
【図３６】本実施例１に係る組込み式自動販売機の背面図。
【図３７】本実施例１に係る組込み式自動販売機を設置式自動販売機の前面扉に組み込んだ状態を示す断面図。
【図３８】本実施例１に係る組込み式自動販売機を設置式自動販売機の前面扉に組み込んだ状態を示す要部拡大断面図。
【符号の説明】
【０１１６】
１  設置式自動販売機
１０  組込み式自動販売機
１１  商品取出口
１２  販売扉
１６  後扉
１７  マグネットキャッチ
１８  シーリング板
１９  温度センサ
２０  プーリ
２１  ベルト
２２  搬出駆動軸
２３  ナット
２４  払出バー（払出部材）
２５  搬出駆動カム
２５ａ  搬出駆動カム溝
２６  搬出駆動カム軸
２７，２８  搬出駆動ガイド
２９  搬出ガイド板
２９ａ  搬出ガイド溝
２９ｂ，２９ｃ  ピン
３０  押出板ユニット
３０ａ，３０ｂ  ピン
３１  商品搬送ステージ
４１〜４３  第１〜第３コラム後調整板
４１ａ〜４３ａ  ピン
４１ｂ〜４３ｂ  支軸
４４  コラム後調整板ガイド
４４ａ〜４４ｃ  穴
４５〜４７  第１〜第３コラム横調整板
４５ａ，４５ｂ，４６ａ，４６ｂ，４７ａ，４７ｂ  固定ピン
５１，５２，５３  第１〜第３コラム側板
５５，５６，５７  第１〜第３コラムベースストッパ
６１  ファン
６３  排気口
６４  連結部
９０  ドライブ基板
９１  メイン基板
Ｂ１〜Ｂ３  第１〜第３コラム選択ボタン
Ｃ１〜Ｃ３  第１〜第３コラム
Ｃ１ａ，Ｃ１ｂ，Ｃ２ａ，Ｃ２ｂ，Ｃ３ａ，Ｃ３ｂ  溝
ＣＣ１〜ＣＣ３  第１〜第３コラム駆動カム
ＣＣ１ａ〜ＣＣ３ａ  係合ピン
ＣＧ１〜ＣＧ３  第１〜第３コラムガイド板
Ｄ１〜Ｄ３  第１〜第３コラムダイアル
ＤＬ１〜ＤＬ３  第１〜第３コラムダイアルレバー
ＨＳＷ１〜ＨＳＷ３  第１〜第３コラムホームスイッチ
ＬＳＷ１〜ＬＳＷ３  第１〜第３コラム上下リミットスイッチ
Ｍ１〜Ｍ３  第１〜第３コラムモータ
Ｍ４  搬出モータ
Ｍ５  ファンモータ
ＳＬ１〜ＳＬ３  第１〜第３コラム売切スイッチレバー
ＳＬＥＤ１〜ＳＬＥＤ３  第１〜第３コラム販売ランプ
ＳＯＳＷ１〜ＳＯＳＷ３  第１〜第３コラム売切スイッチ
ＳＳＷ１〜ＳＳＷ３  第１〜第３コラムセレクションスイッチ
ＳＷ０  販売扉スイッチ
ＳＷ１〜ＳＷ４  第１〜第４搬出駆動カムスイッチ
ＳＷＬ  搬出駆動カム左サイドスイッチ
ＳＷＲ  搬出駆動カム右サイドスイッチ
【図１】
2006099638.tif 000003
【図２】
2006099638.tif 000004
【図３】
2006099638.tif 000005
【図４】
2006099638.tif 000006
【図５】
2006099638.tif 000007
【図６】
2006099638.tif 000008
【図７】
2006099638.tif 000009
【図８】
2006099638.tif 000010
【図９】
2006099638.tif 000011
【図１０】
2006099638.tif 000012
【図１１】
2006099638.tif 000013
【図１２】
2006099638.tif 000014
【図１３】
2006099638.tif 000015
【図１４】
2006099638.tif 000016
【図１５】
2006099638.tif 000017
【図１６】
2006099638.tif 000018
【図１７】
2006099638.tif 000019
【図１８】
2006099638.tif 000020
【図１９】
2006099638.tif 000021
【図２０】
2006099638.tif 000022
【図２１】
2006099638.tif 000023
【図２２】
2006099638.tif 000024
【図２３】
2006099638.tif 000025
【図２４】
2006099638.tif 000026
【図２５】
2006099638.tif 000027
【図２６】
2006099638.tif 000028
【図２７】
2006099638.tif 000029
【図２８】
2006099638.tif 000030
【図２９】
2006099638.tif 000031
【図３０】
2006099638.tif 000032
【図３１】
2006099638.tif 000033
【図３２】
2006099638.tif 000034
【図３３】
2006099638.tif 000035
【図３４】
2006099638.tif 000036
【図３５】
2006099638.tif 000037
【図３６】
2006099638.tif 000038
【図３７】
2006099638.tif 000039
【図３８】
2006099638.tif 000040